(57)【特許請求の範囲】
【請求項１】
表示装置に接続される画像形成装置であって、
画像データを読取るための読取手段と、
前記読取手段により読取られた読取画像データより当該読取画像データが示す画像を表示させるための表示用の画像データを生成するための表示画像データ生成手段と、
前記読取手段により読取られた読取画像データを、当該読取画像データより生成された表示画像データと、前記読取画像データ及び前記表示画像データを特定する画像特定情報とに関連付けて記憶するための記憶手段と、
前記記憶手段に記憶される前記表示画像データを当該表示画像データに関連付けて記憶される画像特定情報とともに前記表示装置へ送信するための画像データ送信手段と、
前記表示装置から、前記画像特定情報を付した印刷指示を受信したことに応答して、当該画像特定情報により特定される読取画像データを前記記憶手段から読出して印刷するための印刷手段とを含む、画像形成装置。
【請求項２】
前記印刷手段が受信した前記印刷指示に、画像に対する修正画像データがさらに付されているか否かを判定するための判定手段と、
前記判定手段による判定結果が肯定であることに応答して、前記印刷手段により読出された前記読取画像データについて、前記印刷手段による印刷が実行される前に、前記修正画像データと結合して結合画像データを生成する画像結合手段とをさらに含む、請求項１に記載の画像形成装置。
【請求項３】
前記修正画像データは、前記表示装置において、印刷対象となる前記読取画像データに関連付けて記憶される前記表示画像データに重畳して生成された画像オブジェクトを含み、
前記画像結合手段は、前記印刷手段により読出された前記読取画像データと、前記画像オブジェクトの画像データとを印刷が実行される前に結合して前記結合画像データを生成する、請求項２に記載の画像形成装置。
【請求項４】
前記記憶手段に記憶される画像データの各々には、解像度又はサイズに関する情報が付され、
前記印刷指示には、前記画像オブジェクトの画像データの、前記表示装置に表示されていたときの解像度又はサイズに関する情報と位置情報とがさらに付され、
前記画像結合手段は、前記印刷手段により読出された前記印刷対象の読取画像データの解像度又はサイズと、前記印刷指示に付されていた前記画像オブジェクトの画像データの前記表示装置上に表示されていたときの解像度又はサイズとに基づき、前記画像オブジェクトの解像度又はサイズと、前記画像オブジェクトの位置情報とを、前記印刷手段により前記記憶手段から読出された前記印刷対象の読取画像データの解像度又はサイズに適合するように変換し、前記印刷対象の読取画像データと変換後の前記画像オブジェクトの画像データとを、変換された前記画像オブジェクトの位置情報に基づいて印刷が実行される前に結合させる、請求項３に記載の画像形成装置。
【請求項５】
原稿データを読取り、記憶できる画像形成装置に接続される表示装置であって、
前記画像形成装置より、読取った原稿データが示す画像を表示させるための表示画像データとともに当該表示画像データの画像特定情報を受信するための画像データ受信手段と、
前記表示画像データ及び前記画像特定情報を互いに関連付けて記憶するための記憶手段と、
前記表示画像データを表示するための表示手段と、
前記表示手段に表示される表示画像データを印刷する指示入力を受付けるための入力受付手段と、
前記入力受付手段が前記指示入力を受付けたことに応答して、前記表示手段に表示されていた表示画像データと関連付けて前記記憶手段に記憶されていた画像特定情報を付した印刷指示を前記画像形成装置に送信するための印刷指示送信手段とを含む、表示装置。
【請求項６】
前記表示手段に表示されている画像に対する修正画像の入力を受付けて前記記憶手段に記憶する修正手段をさらに含み、
前記印刷指示送信手段は、
前記入力受付手段が前記指示入力を受付けたことに応答して、前記表示手段に表示されていた表示画像データに対して記憶されている修正画像があるか否かを判定するための判定手段と、
前記判定手段による判定結果が肯定か否かに依存して、前記表示手段に表示されていた表示画像データと関連付けて前記記憶手段に記憶されていた前記画像特定情報及び前記修正画像をともに付した印刷指示を前記画像形成装置に送信する処理と、前記表示手段に表示されていた表示画像データと関連付けて前記記憶手段に記憶されていた前記画像特定情報を付した印刷指示を前記画像形成装置に送信する処理とを選択的に実行するための手段とを含む、請求項５に記載の表示装置。
【請求項７】
前記修正画像は、前記修正手段により画像データに追加された画像オブジェクトに関する情報を含む、請求項６に記載の表示装置。
【請求項８】
前記表示手段は、所定の解像度又はサイズで前記表示画像データを表示し、
前記印刷指示送信手段は、前記印刷指示に、前記表示手段による表示の際の前記所定の解像度又はサイズを示す情報をさらに付して前記画像形成装置に送信する、請求項５から請求項７のいずれかに記載の表示装置。
【発明の詳細な説明】
【技術分野】
【０００１】
本発明は、画像形成装置及び表示装置に関し、特に、表示装置に表示される画像の印刷を実行する画像形成装置及び表示装置に関する。
【背景技術】
【０００２】
複合機で読取った画像データを表示装置に表示した後、複合機で印刷する場合を考える。表示装置が画像の修正機能を持つ場合、当初の画像に対し表示装置で修正が加えられるかも知れない。したがって、表示装置は修正がされたか否かに関わらず画像データを複合機に送信して印刷を依頼する。
【０００３】
一般に、表示装置で表示される画像データの解像度は、複合機で読取ったときの解像度より低い。したがって、表示装置から送信された画像を複合機で印刷すると当初の画像より画質の劣るものになる。これを防ぐために、表示装置で表示される画像の解像度を高くすると、表示装置から複合機にはこの高解像度の画像データを送信しなければならない。高解像度の画像データはデータ量が多く、通信に時間がかかるという問題がある。
【０００４】
上記した問題に関連して、後掲の特許文献１には、情報処理装置より取得した画像データを表示装置が即座に複合機に送信し、当該画像に対して修正が行なわれるたびに、修正オブジェクトを複合機に送る印刷システムが開示されている。
【先行技術文献】
【特許文献】
【０００５】
【特許文献１】特開２００９−１０６３９号公報
【発明の概要】
【発明が解決しようとする課題】
【０００６】
特許文献１に開示される印刷システムによれば、画像データ及び修正オブジェクトは、取得されると同時に複合機へ送信される。そのため、修正を終えた後にユーザが印刷を指示すると、画像データ及び修正オブジェクトは複合機に送信済みなので、印刷は即座に実行される。しかし、印刷される画像を高画質に保ちながら、表示装置で表示される画像を印刷装置で印刷しようとすれば、通信トラフィックが軽減されないという問題が残る。
【０００７】
以上より、本発明は、表示装置に表示される画像を、時間をかけず、かつ画質を落とさずに印刷できる画像形成装置及び表示装置を提供することを目的とする。
【課題を解決するための手段】
【０００８】
本発明の第１の局面に係る画像形成装置は、表示装置に接続され、画像データを読取るための読取手段と、読取手段により読取られた画像データを、当該画像データを特定する画像特定情報と関連付けて記憶するための記憶手段と、記憶手段に記憶される画像データ及び当該画像データの画像特定情報を表示装置へ送信するための画像データ送信手段と、表示装置から、画像特定情報を付した印刷指示を受信したことに応答して、当該画像特定情報により特定される画像データを記憶手段から読出して印刷するための印刷手段とを含む。
【０００９】
画像形成装置は読取った画像データを画像特定情報と関連付けて記憶し、記憶した画像データ及び当該画像データの画像特定情報を表示装置へ送信する。さらに、表示装置から画像特定情報を付した印刷指示を受信すると、当該画像特定情報により特定される画像データを読出して印刷する。つまり、表示装置から受信した画像特定情報により特定される画像データを記憶している場合、画像形成装置は、表示された画像データでなく、対応する元の画像データを印刷する。したがって、表示される画像データの画質ではなく、読取った画像データの画質のままで印刷できる。また、印刷を行なう際、画像形成装置には画像データは送信されないので、画像形成装置へ画像データを送信して印刷する場合に比べて、印刷指示を受けてから印刷が完了するまでにかかる時間を短縮できる。
【００１０】
好ましくは、画像形成装置は、印刷手段が受信した印刷指示に、画像に対する修正画像データがさらに付されているか否かを判定するための判定手段と、判定手段による判定結果が肯定であることに応答して、印刷手段により読出された画像データについて、印刷手段による印刷が実行される前に、修正画像データと結合して結合画像データを生成する画像結合手段とをさらに含む。
【００１１】
印刷指示に修正画像データが付されている場合、印刷予定の画像データと修正画像データとが結合して得られた結合画像データが印刷される。したがって、表示装置で画像データに何らかの修正が加えられた場合、ユーザは特段の操作を行なわずとも、当該修正が反映された印刷結果を得ることができる。
【００１２】
さらに好ましくは、修正画像データは、表示装置において、印刷対象となる画像データに重畳して生成された画像オブジェクトを含み、画像結合手段は、印刷手段により読出された画像データと、画像オブジェクトの画像データとを印刷が実行される前に結合して結合画像データを生成する。
【００１３】
印刷対象である画像データには、画像オブジェクトの表す画像が結合される。当該画像オブジェクトは画像データに重畳して生成されるので、印刷結果の画像にも修正オブジェクトの画像が重畳して反映される。したがって、表示装置で行なわれた修正を反映した画像と同一の画像を印刷できる。
【００１４】
さらに好ましくは、記憶手段に記憶される画像データの各々には、解像度又はサイズに関する情報が付され、印刷指示には、画像オブジェクトの画像データの、表示装置に表示されていたときの解像度又はサイズに関する情報がさらに付される。画像結合手段は、印刷手段により読出された印刷対象の画像データの解像度又はサイズと、印刷指示に付されていた画像オブジェクトの画像データの表示装置上に表示されていたときの解像度又はサイズとに基づき、画像オブジェクトの解像度又はサイズを、印刷手段により記憶手段から読出された印刷対象の画像データの解像度又はサイズに適合するように変換し、印刷対象の画像データと変換後の画像オブジェクトの画像データとを印刷が実行される前に結合させる。
【００１５】
オブジェクトの解像度又はサイズは、当該オブジェクトが表示装置に表示されていたときの解像度又はサイズから、読出された印刷対象の画像データの解像度又はサイズに適合するように変換される。この変換を行なった後、当該オブジェクトは印刷を行なう画像データに結合される。したがって、オブジェクトの解像度又はサイズは、印刷を行なう画像データの解像度又はサイズに適合したものとなり、画質を落とすことなく、修正が反映された印刷画像を印刷できる。
【００１６】
本発明の第２の局面に係る表示装置は、原稿データを読取り、記憶できる画像形成装置に接続され、画像形成装置より画像データ及び当該画像データの画像特定情報を受信するための画像データ受信手段と、画像データ及び画像特定情報を互いに関連付けて記憶するための記憶手段と、画像データを表示するための表示手段と、表示手段に表示される画像データを印刷する指示入力を受付けるための入力受付手段と、入力受付手段が指示入力を受付けたことに応答して、表示手段に表示されていた画像データと関連付けて記憶手段に記憶されていた画像特定情報を付した印刷指示を画像形成装置に送信するための印刷指示送信手段とを含む。
【００１７】
表示装置は、画像形成装置より受信した画像データ及び画像特定情報を互いに関連付けて記憶する。さらに、表示される画像データの印刷指示を受付けると、当該画像データに対応する画像特定情報を付した印刷指示を画像形成装置に送信する。表示装置は画像データを送信しないので、画像データそのものを送信する場合に比べて、送信にかかる時間を短縮できる。
【００１８】
好ましくは、表示装置は、表示手段に表示されている画像に対する修正画像の入力を受付けて記憶手段に記憶する修正手段をさらに含む。印刷指示送信手段は、入力受付手段が指示入力を受付けたことに応答して、表示手段に表示されていた画像データに対して記憶されている修正画像があるか否かを判定するための判定手段と、判定手段による判定結果が肯定か否かに依存して、表示手段に表示されていた画像データと関連付けて記憶手段に記憶されていた画像特定情報及び修正画像をともに付した印刷指示を画像形成装置に送信する処理と、表示手段に表示されていた画像データと関連付けて記憶手段に記憶されていた画像特定情報を付した印刷指示を画像形成装置に送信する処理とを選択的に実行するための手段とを含む。
【００１９】
表示されている画像に対して修正が行なわれると、表示装置は当該修正を記憶する。さらに修正指示を受付けると、修正画像がある場合には修正画像及び画像特定情報をともに付した印刷指示を画像形成装置へ送信し、修正画像がない場合には画像特定情報のみを付した印刷指示を送信する。したがって、表示される画像に修正を加えた場合でも、ユーザは通常の印刷操作指示を入力するだけで、特段の操作を行なわなくとも、修正が反映された印刷画像を得ることができる。
【００２０】
さらに好ましくは、修正画像は、修正手段により画像データに追加された画像オブジェクトに関する情報を含む。
【００２１】
表示装置の表示面に追加された画像オブジェクトが修正画像として画像形成装置に送信され、印刷を行なう画像データに結合される。したがって、ユーザは表示面に表示され、かつ、画像オブジェクトが追加された画像と同一の画像を印刷できる。
【００２２】
さらに好ましくは、表示手段は、所定の解像度又はサイズで画像データを表示し、印刷指示送信手段は、印刷指示に、表示手段による表示の際の所定の解像度又はサイズを示す情報をさらに付して画像形成装置に送信する。
【００２３】
表示手段には、所定の解像度又はサイズの画像データが表示される。所定の解像度又はサイズを表示装置の解像度又はサイズに適合するよう予め設定しておけば、表示処理にかかる時間を短縮できる。
【発明の効果】
【００２４】
本発明によれば、表示装置から画像形成装置へデータが送信される際に、画像特定情報を付した印刷指示が送信され、画像データは送信されない。そのため、表示装置から画像形成装置へデータを送信するのにかかる時間を、画像データも送信する場合に比べて短縮できる。その結果、ユーザが印刷指示を入力してから印刷が終了するまでにかかる時間を従来より短縮できる。さらに、画像形成装置は、印刷指示に付された画像特定情報に特定される画像データを読出して印刷するので、読取られた画像データの画質のままで印刷できる。以上より、本発明は、表示装置上に表示される画像を、時間をかけず、かつ画質を落とさずに印刷できる。
【図面の簡単な説明】
【００２５】
【図１】本発明の１実施の形態に係る印刷システムの概略構成を示す図である。
【図２】図１に示す画像形成装置の電気的構成を示す図である。
【図３】図１に示す表示装置の電気的構成を示す図である。
【図４】第１の実施の形態に係る画像形成装置で原稿を読取るときに実行されるコンピュータプログラムの制御構造を示すフローチャートである。
【図５】第１の実施の形態に係る表示装置で画像データ及び画像特定情報を受信するときに実行されるコンピュータプログラムの制御構造を示すフローチャートである。
【図６】第１の実施の形態に係る表示装置で印刷指示を検知したことに応じて実行されるコンピュータプログラムの制御構造を示すフローチャートである。
【図７】第１の実施の形態に係る画像形成装置で印刷指示を受信したことに応じて実行されるコンピュータプログラムの制御構造を示すフローチャートである。
【図８】表示装置に表示される画面を示す図である。
【図９】表示装置に画像データが表示されていることを示す図である。
【図１０】図９に示す画像に修正が加えられたことを示す図である。
【図１１】第２の実施の形態に係る表示装置で印刷指示を検知したことに応じて実行されるコンピュータプログラムの制御構造を示すフローチャートである。
【図１２】第２の実施の形態に係る画像形成装置で印刷指示を受信したことに応じて実行されるコンピュータプログラムの制御構造を示すフローチャートである。
【発明を実施するための形態】
【００２６】
以下の説明及び図面では、同一の部品には同一の参照番号を付してある。したがって、それらについての詳細な説明は繰返さない。
【００２７】
［第１の実施の形態］
＜印刷システムの概略構成＞
図１を参照して、本実施の形態に係る印刷システム４０は、画像形成装置５０、表示装置６０、及びこれらを接続するネットワーク回線７０を含む。画像形成装置５０はいわゆる複合機であるが、プリンタ等でもよい。
【００２８】
＜ハードウェア構成＞
図２を参照して、画像形成装置５０は、各機能部を制御するための制御部１００、原稿から画像データを読取るための画像読取部１１０、記録媒体上に画像を形成する画像形成部１２０、画像読取部１１０により読取られた画像データを格納する画像メモリ１３０、画像形成装置５０に関する各制御プログラムを格納する制御プログラム記憶部１４０、画像データに対して処理を施す画像処理部１５０、画像形成装置５０へ操作を加えるための操作部１６０、アナログ／デジタル変換を行なうモデム部１７０、画像形成装置５０に接続される外部装置との通信を行なう通信部１８０、画像読取部１１０で読取った画像データを特定するための画像特定情報を生成したり、画像形成装置５０に関する設定及び画像形成装置５０で実行されるジョブ等を管理したりする管理部１９０、並びに、画像メモリ１３０に格納される画像データに関連する情報を格納する記憶部２００を含む。
【００２９】
図３を参照して、表示装置６０は、各機能部を制御する制御部３００、表示装置６０に接続される外部装置との通信を行なう通信インターフェイス３１０（以下、通信Ｉ／Ｆ３１０と記載する。）、表示装置６０が受信した画像データ及び当該画像データに関連する情報を格納するメモリ３２０、画像データを表示するディスプレイ３５０、ディスプレイ３５０を制御する、制御部３００に接続された表示コントローラ３３０、ユーザからの指示入力を検知するタッチパネル３６０、並びに、制御部３００に接続され、タッチパネル３６０で検知された入力のタッチ位置を検出するタッチ位置検出回路３４０を含む。
【００３０】
メモリ３２０は、表示装置６０の設定に関する情報も格納する。ユーザはタッチパネル３６０及び図示しない入力部を操作して、表示装置６０の設定を任意に変更できる。
【００３１】
本実施の形態では、ディスプレイ３５０及びタッチパネル３６０は、一体型のいわゆるタッチパネルディスプレイとして構成される。タッチ位置検出回路３４０は、ユーザがタッチパネル３６０上のいずれの箇所を操作したかを検知でき、制御部３００は検知された箇所に応じてどのような指示が入力されたかを判定する。さらに制御部３００は、入力された指示の内容に応じた処理を各機能部に実行させる。
【００３２】
＜ソフトウェア構成＞
図１−７を参照して、画像形成装置５０で読取った画像データを表示装置６０へ送信し、表示装置６０で当該画像データを表示した後に当該画像データを印刷する場合に、画像形成装置５０及び表示装置６０で実行される各プログラムの制御構造について説明する。
【００３３】
図４に示されるプログラムは画像形成装置５０で実行されるプログラムであり、原稿を読取る操作が検知されたことに応じて開始する。このプログラムは、画像読取部１１０で原稿から画像データを読取るステップ４０２、ステップ４０２で読取った読取画像データに基づき表示装置６０で表示するための表示画像データを生成するステップ４０４、読取った画像データを特定する画像特定情報を生成するステップ４０６、ステップ４０２−４０６で生成された画像データ及び画像特定情報を、それぞれ画像メモリ１３０及び記憶部２００に互いに関連付けて記憶させるステップ４０８、並びに、画像メモリ１３０に記憶される表示画像データ、当該表示画像データに対応する画像特定情報、当該表示画像データに対応する読取画像データの解像度及びサイズに関する情報を表示装置６０へ送信するステップ４１０を含む。ステップ４１０の処理が終了すると、このプログラムの実行は終了する。
【００３４】
図５に示されるプログラムは表示装置６０で実行されるプログラムであり、画像形成装置５０から何らかのデータを受信したことに応じて開始する。このプログラムは、画像形成装置５０から、表示画像データ、当該表示画像データに対応する画像特定情報、読取画像データの解像度及びサイズに関する情報を受信するステップ４２２と、ステップ４２２で受信した一連のデータをメモリ３２０に記憶させるステップ４２４と、表示画像データをディスプレイ３５０に表示するステップ４２６とを含む。ステップ４２６の処理が終了すると、このプログラムの実行は終了する。
【００３５】
図６に示されるプログラムは表示装置６０で実行されるプログラムであり、ディスプレイ３５０に表示される画像を印刷するよう指示する印刷指示を検知したことに応じて開始する。このプログラムは、印刷指示を検知するステップ４３２、印刷対象の画像に対する修正画像データが入力されているか否かを判定するステップ４３４、ステップ４３４による判定結果が肯定であることに応答して、修正画像データから修正部のオブジェクトを抽出するステップ４３６、ステップ４３６で抽出したオブジェクト及び当該オブジェクトの位置情報を読取画像データの解像度又はサイズに応じて読取画像データに適合するように変換するステップ４３８、印刷指示、オブジェクト、当該オブジェクトの位置情報、及び当該画像データの画像特定情報を画像形成装置５０へ送信するステップ４４０、並びに、ステップ４３４による判定結果が否定であることに応答して、印刷指示及び印刷する画像データの画像特定情報を画像形成装置５０へ送信するステップ４４２を含む。ステップ４４０又は４４２の処理が終了すると、このプログラムの実行は終了する。
【００３６】
図７に示されるプログラムは画像形成装置５０で実行されるプログラムであり、表示装置６０より印刷指示を受信したことに応じて開始する。このプログラムは、表示装置６０から印刷指示等を受信するステップ４６２、ステップ４６２において受信した印刷指示に付されている画像特定情報により特定される読取画像データが画像メモリ１３０に格納されているか否かを判定するステップ４６４、ステップ４６４による判定結果が肯定であることに応答して、受信した印刷指示にオブジェクトが付されているか否かを判定するステップ４６６、ステップ４６６による判定結果が肯定であることに応答して、ステップ４６２において格納されていることが確認された読取画像データを画像メモリ１３０から読出し、オブジェクトと結合するステップ４６８、結合後の画像データを印刷するステップ４７２、並びに、ステップ４６４による判定結果が否定であることに応答して所定のエラー処理を実行するステップ４７０を含む。ステップ４６６による判定結果が否定である場合、制御はステップ４７２へ進む。ステップ４７０又は４７２の処理が終了すると、このプログラムの実行は終了する。
【００３７】
＜動作＞
図２−１０を参照して、画像形成装置５０で読取った画像データを表示装置６０へ送信し、表示装置６０で当該画像データを表示した後に当該画像データを印刷する場合の動作を説明する。
【００３８】
ユーザが操作部１６０を操作し、セットした原稿を読取るよう入力すると、制御部１００は当該原稿を読取り、読取画像データを生成し、画像メモリ１３０に格納する（ステップ４０２）。ステップ４０４において、制御部１００は読取った画像データを基に表示装置６０で表示するための表示画像データを画像処理部１５０に生成させる。表示画像データは、ユーザにより予め設定された表示装置６０の解像度又はサイズに応じた画像データとなるよう生成される。一般に、表示装置の表示解像度は画像形成装置の印刷の解像度よりかなり低い。したがって、表示画像データを画像形成装置で印刷すると、その画質は読取画像データを印刷したときの画質と比較してかなり劣る。一方、データ送信においては、解像度が小さければデータ量はそれに応じて少なくなるため、表示画像データを送信するのにかかる時間は読取画像データを送信するのにかかる時間よりも短い。
【００３９】
ステップ４０６において、制御部１００は読取った画像データを特定する画像特定情報を管理部１９０に生成させる。読取画像データ及び表示画像データが画像メモリ１３０に格納され、画像データを特定する画像特定情報が記憶部２００に格納される（ステップ４０８）。
【００４０】
ステップ４１０において、制御部１００は、表示画像データ、当該画像データを特定する画像特定情報、及び、読取画像データの解像度又はサイズに関する情報を通信部１８０を介して表示装置６０に送信する。このとき送信される画像データは、表示装置において表示されるよう、解像度又はサイズが変換された画像データである。表示画像データのデータ量は読取画像データのデータ量より少ないので、読取画像データを送信する場合に比べて短時間で送信できる。
【００４１】
通信Ｉ／Ｆ３１０が画像形成装置５０より表示画像データ、画像特定情報、並びに、読取画像データの解像度及びサイズに関する情報を受信すると（ステップ４２２）、制御部３００はこれら受信した一連のデータをメモリ３２０へ格納する（ステップ４２４）。
【００４２】
図８に示すディスプレイ３５０は、画像データが表示されていない状態であり、中央部には何も表示されない。ディスプレイの左端には表示に関する各機能を設定するための機能アイコンの集合であるアイコン群３５２と、ディスプレイ３５０に表示される画像の印刷を開始するための印刷開始キー３５４とが表示される。ユーザはアイコン群３５２及び印刷開始キー３５４が表示される箇所を直接指及びタッチペン等でタッチすることで、各機能に応じた処理を表示装置に実行させることができる。
【００４３】
ステップ４２６において、制御部３００は、表示コントローラ３３０を制御して、ディスプレイ３５０に、受信した画像データを表示する。図９を参照して、ディスプレイの中央部には画像３５６が表示される。画像３５６が表示されている箇所を指でタッチしたりなぞったりすると、ユーザは画像３５６に対して書込み等の入力を行なうことができる。図１０に示す修正画像３５８は、ユーザによって加えられた画像である。修正画像３５８は画像３５６に重畳して表示されるので、紙に印刷された画像にペン等で書込みを行なったのと同じような画像がディスプレイ上に表示される。書加えられた画像は各々、画像オブジェクトとしてメモリに保存される。各画像オブジェクトは、属性データとしてその表示位置、表示色、表示サイズ、及び画像データを持つ。
【００４４】
ユーザが印刷開始キー３５４をタッチすると、制御部３００は印刷指示を検知し（ステップ４３２）、ディスプレイ３５０に表示される画像に何らかの修正が加えられているか否か、すなわち、画像に加えられた修正を表す画像オブジェクトがメモリに保存されているか否かを判定する。修正がある場合（ステップ４３４でＹＥＳ）、制御部３００は画像オブジェクトを読出し（ステップ４３６）、この画像オブジェクトに基づき、その画像データ及び当該画像オブジェクトの位置情報の解像度又はサイズを、画像形成装置５０より受信した読取画像データの解像度又はサイズに適合するよう変換する（ステップ４３８）。制御部３００は印刷指示、変換された画像オブジェクト、変換された位置情報、及び表示画像データを特定する画像特定情報を、通信Ｉ／Ｆ３１０により画像形成装置５０へ送信させる（ステップ４４０）。修正がない場合（ステップ４３４でＮＯ）、制御部３００は印刷指示及び画像特定情報を通信Ｉ／Ｆ３１０に送信させる（ステップ４４２）。
【００４５】
表示装置６０より印刷指示及び画像特定情報等を受信すると（ステップ４６２）、制御部１００は、受信した画像特定情報により特定される読取画像データが画像メモリ１３０にあるか否かを判定する。対応する読取画像データがある場合（ステップ４６４でＹＥＳ）、制御部１００は表示装置６０より受信した印刷指示に画像オブジェクトのデータが付されているか否かを判定する。画像オブジェクトのデータが付されている場合（ステップ４６６でＹＥＳ）、制御部１００は画像メモリ１３０より対応する読取画像データを読出し、この画像オブジェクトの画像データと結合し（ステップ４６８）、結合後の画像データを画像形成部１２０に印刷させる（ステップ４７２）。すなわち、画像オブジェクトの画像データを、読取画像データ上の画像オブジェクトの表示位置に重畳し、重畳後の画像を表示する。受信した画像特定情報により特定される画像データがない場合（ステップ４６４でＮＯ）、制御部１００は所定のエラー処理を行なう（ステップ４７０）。このエラー処理は、例えば、表示装置にエラーメッセージを送信する処理でもよい。画像特定情報により特定される読取画像データはあるが、受信したデータにオブジェクトデータが付されていない場合（ステップ４６４でＹＥＳかつステップ４６６でＮＯ）、制御部１００は対応する読取画像データを画像メモリ１３０より読出し、画像形成部１２０に印刷させる。
【００４６】
＜効果＞
以上の通り、第１の実施の形態に係る印刷システムによれば、表示装置に表示される画像に対して印刷指示が行なわれると、画像形成装置５０は表示装置から印刷指示とともに受信した画像特定情報により特定される読取画像データを、画像メモリ１３０から読出して印刷する。印刷される画像は原稿から読取ったときの解像度のままなので、画質を落とさずに画像を印刷できる。さらに、表示装置６０から画像形成装置５０へ送信されるデータは印刷を行なう画像データに関する情報であり、画像データそのものは送信しないため、画像データも送信する場合に比べて、画像形成装置へデータを送信する時間を短縮できる。その結果、ユーザが表示装置で印刷指示を入力してから印刷が完了するまでにかかる時間を、表示画像データを送信して印刷する場合に比べて短縮できる。修正オブジェクトは、その表示位置、大きさ、解像度などが読取画像データに適合するように変換されてから表示されるので、読取画像データに重畳しても画質が著しく劣化することはない。
【００４７】
［第２の実施の形態］
第２の実施の形態に係る印刷システムは、オブジェクトデータを変換する処理を表示装置でなく画像形成装置で行なう点において、第１の実施の形態に係る印刷システムと異なる。その他の点では、各印刷システムは同一の構成である。
【００４８】
＜ソフトウェア構成＞
第２の実施の形態に係る画像形成装置では、図６に示されるプログラムに代えて、図１１に示されるプログラムが実行される。図１１のプログラムは、図６のステップ４３８及び４４０に代えて、印刷指示、画像オブジェクト、当該画像オブジェクトの位置情報、ディスプレイ３５０に表示される表示画像データを特定する画像特定情報、並びに、表示画像データの解像度及びサイズに関する情報を画像形成装置５０へ送信するステップ４８０を含む。
【００４９】
同様に、第２の実施の形態に係る表示装置では、図７のプログラムに代えて、図１２のプログラムが実行される。図１２のプログラムは、図７のステップ４６６の判定が肯定であるときに、ステップ４６８の直前に実行される、画像オブジェクト及び当該画像オブジェクトの位置情報を読取画像データの解像度又はサイズに応じて変換するステップ４９０をさらに含む。
【００５０】
＜効果＞
本実施の形態においても、第１の実施の形態と同様に、画像特定情報により特定される読取画像データを印刷できる。さらに、表示装置から画像形成装置へ表示画像データを送信しないので、当該データを送信して印刷する場合に比べて、印刷終了までにかかる時間を短縮できる。
【００５１】
上記実施の形態に係る画像形成装置５０は複合機であるが、画像を読取る機能、記録媒体に画像を形成する機能、及び接続された外部装置との間でデータの送受信を行なう機能を有していれば、複合機に限定されない。例えば、コピー機及びプリンタ等でもよい。同様に、表示装置６０についても、画像データを表示する機能、表示画像データに対して入力する機能、及び接続された外部装置との間でデータの送受信を行なう機能を有していればどのような表示装置でもよい。表示装置６０は通信Ｉ／Ｆを有したタッチパネルディスプレイであるが、ディスプレイと入力装置が別々に構成されていてもよい。
【００５２】
画像形成装置５０及び表示装置６０は有線回線であるネットワーク回線７０で接続されているが、これら装置はネットワーク回線を介さずに直接接続されていてもよい。又は、無線通信により各装置間でデータのやり取りを行なってもよい。
【００５３】
上記実施の形態に係る画像形成装置及び表示装置はそれぞれ１台ずつで構成されているが、複数台設置されてもよい。例えば、表示装置が複数台設置される場合において、同一の画像データに対して各表示装置で入力された複数の修正データを、画像形成装置に格納される読取画像データに重畳し、全ての修正データが反映された画像データを印刷するという構成が考えられる。
【００５４】
画像特定情報は、画像データを特定できる情報であればどのような形態でもよい。例えば、原稿を読取ったときに固有ＩＤを読取った画像データのヘッダ部に付す形態が考えられる。
【００５５】
上記実施の形態では、オブジェクトの変換処理を画像形成装置で行なう場合、表示画像データの解像度又はサイズに関する情報が画像形成装置に送信される。この解像度又はサイズに関する情報は、ユーザが予め任意に設定しておき、画像形成装置に記憶させておいてもよい。この場合、解像度又はサイズに関する情報を画像形成装置へ送信する必要がないので、送信処理にかかる時間を短縮できる。
【００５６】
上記実施の形態では、表示装置へ送信される画像データは表示画像データであるが、読取画像データ、或いは、任意の解像度又はサイズに適合するよう変換した画像データであってもよい。表示装置に高画質の画像を表示させたい場合は、読取画像データを送信するとよい。画像データの送信にかかる時間を短縮したい場合は、解像度を下げた画像データを送信すればよい。
【００５７】
上記実施の形態では、修正画像データの送信、変換、及び結合に関する処理は印刷指示を受信した後で実行されているが、これら処理を印刷指示を受信する前に行なってもよい。例えば、表示装置に表示される表示画像データに対して修正が加えられるたびに、画像形成装置では当該修正に基づく修正画像データを読取画像データに結合する処理がリアルタイムで実行され、印刷指示が入力されたと同時に結合済みの画像データを印刷するという構成でもよい。この構成によれば、印刷指示を入力してから印刷が完了するまでにかかる時間をさらに短縮できる。
【００５８】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００５９】
５０  画像形成装置
６０  表示装置
１００、３００  制御部
１３０  画像メモリ
１５０  画像処理部
２００  記憶部
３２０  メモリ
３５０  ディスプレイ
３６０  タッチパネル
【図１】
0005643269.tif 000002
【図２】
0005643269.tif 000003
【図３】
0005643269.tif 000004
【図４】
0005643269.tif 000005
【図５】
0005643269.tif 000006
【図６】
0005643269.tif 000007
【図７】
0005643269.tif 000008
【図８】
0005643269.tif 000009
【図９】
0005643269.tif 000010
【図１０】
0005643269.tif 000011
【図１１】
0005643269.tif 000012
【図１２】
0005643269.tif 000013